(57)【要約】【課題】フィルム読取装置において、フィルムのゴミキズ除去のハードウエアが組み込まれている場合そのハードウエアを自動的に検出して、赤外画像をハードウエアに渡しゴミキズ除去を行うようにすることによって、ゴミキズ除去のハードウエアが無い場合、ソフトによって処理することを目的とする。【解決手段】可視画像を読み取る手段と赤外画像を読み取る手段からなり、ゴミキズ除去のハードウエアが脱着可能であるもの。赤外画像はＨＯＳＴへのＩＦとゴミキズ除去のハードウエアへ転送が可能なもので、ハードウエアが装着された場合、赤外画像をゴミキズ除去のハードウエアへ転送し、装着されていない場合、赤外画像をゴミキズ除去のハードウエアへ転送し、装着されていない場合、ＨＯＳＴへ転送し処理することを特徴とするもの。【選択図】        図１
2004173164.tif 000002
【特許請求の範囲】
【請求項１】
可視ランプ手段と赤外ランプ手段と可視画像取得手段と赤外画像取得手段と画像処理手段とゴミキズ検出手段とゴミキズ除去画像処理手段とコンピュータインターフェース手段によって構成されることを特徴とするフィルムスキャナー。
【請求項２】
ゴミキズ除去画像処理手段と画像処理手段を分離する手段とゴミキズ除去画像処理手段が接続されていることを検出する検出手段によって構成される請求項１のフィルムスキャナー。
【請求項３】
請求項２の検出手段によって検出されたゴミキズ除去画像処理手段へ赤外画像取得手段からの赤外画像を送ること可能とする、請求項１のフィルムスキャナー。
【請求項４】
請求項２の検出手段によってゴミキズ除去画像処理手段が検出されない場合は赤外画像取得手段からの赤外画像をコンピュータインターフェース手段へ送る、請求項１のフィルムスキャナー。
【請求項５】
画像圧縮手段とエッジ強調手段検出の機能を持つことを特徴とする請求項１のフィルムスキャナー。
【請求項６】
ゴミキズ除去画像処理手段で処理された画像に画像圧縮手段によって、画像を圧縮する機能と圧縮しないスイッチ手段によって構成される請求項５のフィルムスキャナー。
【請求項７】
ゴミキズ除去画像処理手段で処理された画像にエッジ強調手段によって、エッジを強調する機能とエッジを強調しないスイッチ手段によって構成される請求項５のフィルムスキャナー。
【発明の詳細な説明】
【０００１】
【発明の属する技術分野】
発明はフィルムの画像を読み取るフィルムスキャナーに関するものである。
【０００２】
【従来の技術】
従来、フィルムスキャナーにおけるフィルムの画像処理におけるゴミキズの除去については、可視光照射手段から照射された可視光をフィルムに当て、レンズ手段によって画像をＣＣＤの大きさに拡大または縮小して、ＣＣＤ手段によって読み取り可視画像としてインターフェース手段によってコンピュータへ取り込み、コンピュータ内の記憶手段に保存する。同じ画像を赤外光照射手段から照射された赤外光をフィルムに当て、レンズ手段によって画像をＣＣＤの大きさに拡大または縮小して、ＣＣＤ手段によって読み取り赤外画像としてインターフェース手段によってコンピュータへ取り込み、コンピュータ内の記憶手段に保存する。
【０００３】
記憶された前記赤外画像の画素の標準偏差をとり、所定のレベルをしきい値としてしきい値より高い部分をゴミキズすなわち欠損画素として認識する。次にコンピュータに取り込まれている前記可視画像と重ね、欠損画素とした部分を所定の補間手段によって画素を埋め、フィルタ処理等によって画像処理を行い、処理された画像を新たな可視画像とし記憶するように構成されている。
【０００４】
【発明が解決しようとする課題】
しかしながら、上記従来例では処理をソフトウエアで行うため、コンピュータの能力に左右されやすく、時間がかかり、ユーザーがフィルムスキャナーにフィルムを挿入しスキャンを開始して、スキャンが停止してから画像の処理に入るため、ユーザーはフィルムのスキャン終了したにもかかわらず待たされてしまう欠点があった。
【０００５】
【課題を解決するための手段】
可視ランプ手段と赤外ランプ手段と可視画像取得手段と赤外画像取得手段と画像処理手段とゴミキズ除去画像処理手段とコンピュータインターフェース手段によって構成される。
【０００６】
ゴミキズ除去画像処理手段と画像処理手段を分離する手段とゴミキズ除去画像処理手段が接続されていることを検出する検出手段を設ける。
【０００７】
検出手段によって検出されたゴミキズ除去画像処理手段へ赤外画像取得手段からの赤外画像を送ること可能とする。
【０００８】
また検出手段によってゴミキズ除去画像処理手段が検出できない場合は赤外画像取得手段からの赤外画像をコンピュータインターフェース手段へ送る、従来のゴミキズ除去手段と画像圧縮手段とエッジ強調手段検出の機能を持つ。
【０００９】
ゴミキズ除去画像処理手段で処理された画像に画像圧縮手段によって、画像を圧縮する機能と圧縮しないスイッチ手段によって構成される。
【００１０】
ゴミキズ除去画像処理手段で処理された画像にエッジ強調手段によって、エッジを強調する機能とエッジを強調しないスイッチ手段を持つことを特徴とするフィルムスキャナー。
【００１１】
【発明の実施の形態】
（実施例）
以下、本発明の実施例を図１〜図３に基づき説明する。
【００１２】
図１は本発明の特徴であるところの、フィルムスキャナーの内部の構成とホストコンピュータに関係を簡単に示した図である。１はフィルムスキャナー、２は画像のデジタル処理をするところのメインボード、３は画像のゴミキズ除去をおこなうところのゴミキズ除去ボード、４は光源であるところのハロゲンランプ、５はフィルムスキャナー１に読み込まれるところのフィルム、６はフィルムの拡大を行うところのレンズ、７は画像を読み取るところのＣＣＤとそのデータをデジタルに変換するところのＣＣＤボード、８はメインボード２とゴミキズ除去ボード３を接続するところのメインボード側のコネクタ、９はメインボード２とゴミキズ除去ボード３を接続するところのゴミキズ除去ボード側のコネクタ、１０はメインボード２とゴミキズ除去ボード３、ＣＣＤボード７に電源供給を行うところの電源ユニット、１１は電源ユニット１０のＡＣ入力であるところのＡＣケーブル、１２は赤外線を照射する光源であるところの赤外ＬＥＤ、１３はモーター、１４はモーター１３によってフィルムの搬送を行うところの搬送ローラー、１５はデータの処理及び記憶を行うところのホストコンピュータ、１６はホストコンピュータ１５とフィルムスキャナー１との間でデータ通信を行うインターフェースであるところのＵＳＢケーブルである。
【００１３】
上記構成において、
フィルム５が挿入されるとモーター１３が駆動する搬送ローラー１４が回り、所定の位置までフィルムを搬送する。ハロゲンランプ４によって、可視光がフィルム５に照射され、レンズ６を通してＣＣＤボード７にフィルム５の画像が取り込まれる。ＣＣＤボード７においては図示しないＡＤコンバータによって可視画像データはデジタル化され、デジタル処理を行うためメインボード２に渡される。
【００１４】
ここで可視画像データはいったんメインボード２に保存される。
【００１５】
次に、赤外線によりゴミキズの検出のため、赤外ＬＥＤ１２によって、赤外光がフィルム５に照射され、レンズ６を通してＣＣＤボード７にフィルム５の赤外画像が取り込まれる。ＣＣＤボード７においては図示しないＡＤコンバータによって赤外画像データはデジタル化され、デジタル処理を行うためメインボード２に渡される。
【００１６】
メインボードに保存された可視画像データと赤外画像データはメインボード内のＣＰＵによって、脱着可能であるところのゴミキズ除去ボード３が接続されているかを検出して、ゴミキズ除去ボード３が接続されている場合、可視画像データと赤外画像データは図示しないスイッチによってゴミキズ除去ボード３に送られ、可視画像データ上のゴミキズを画像処理によって除去し、再びゴミキズ除去ボード３からメインボード２に戻される。その後、メインボード２のインターフェースであるところのＵＳＢからＵＳＢケーブル１６を通して、ホストコンピュータ１５へ送信される。
【００１７】
また、ゴミキズ除去ボード３が接続されていない場合、可視画像データと赤外画像データは、メインボード２のインターフェースであるところのＵＳＢからＵＳＢケーブル１６を通して、ホストコンピュータ１５へ送信される。
【００１８】
メインボード２の処理の詳細ついては図３を用いて後ほど説明する。
【００１９】
図２はゴミキズ除去ボードの検出に関するものであり、
２０はプラスへ電圧を引き上げるところのプルアップ抵抗、２１はＧＮＤ線２２はプルアップ抵抗２０の片側とＧＮＤ線を短絡させ、ゼロボルトに引くところの短絡配線、メインボード側のコネクタ８とゴミキズ除去ボード側のコネクタ９はおのおののボードに取り付けられ、メインボードとゴミキズ除去ボードを結合、脱着を可能にしている。
【００２０】
上記構成において、
メインボード２とゴミキズ除去ボード３はメインボード側のコネクタ８とゴミキズ除去ボード側のコネクタ９が結合されると、プルアップ抵抗の片側はメインボード側のコネクタ８とゴミキズ除去ボード側のコネクタ９と短絡配線２２を通り、ＧＮＤ線２１によってゼロボルトへと引かれる。
【００２１】
ゴミキズ除去ボード３が非接続の場合、プルアップ抵抗２０の片側はメインボード側のコネクタ８において開放されているためプラスへ引かれている。
【００２２】
このプルアップ抵抗２０の片側を検出することによって、ゴミキズ除去ボード３の有無を判断し、可視画像データと赤外画像データの流れを決めることができる。
【００２３】
図３はメインボード２の処理の詳細ついて説明したブロック図であり、
３０は可視画像データをＣＣＤボード７から受け取るところのコネクタ、３１は赤外画像データをＣＣＤボード７から受け取るところのコネクタ、３２は光源及びＣＣＤ画素のバラツキを補正するための可視シェーディング用ＳＲＡＭ、３３はＣＣＤの色のタイミングを補正する色合わせ用ＳＲＡＭ、３４はネガフィルムを変換するためのガンマテーブル用ＳＲＡＭ、３５は画像処理のための制御用ＡＳＩＣ、３６はゴミキズ除去ボードの中のゴミキズ除去制御ユニット、３７は可視画像データ及び赤外画像データを記憶するところのＳＤＲＡＭ、３８はホストコンピュータとのインターフェースであるところのＵＳＢのデータをコントロールするところのＵＳＢコントローラ、３９は図１のＵＳＢケーブル１６を接続するところのコネクタ、４０はＣＰＵ４２のワークエリアであるところのワーク用ＳＲＡＭ、４１はＣＰＵの命令コード及び固定データを持つところのＲＯＭ、４２はシステムの制御を行うところのＣＰＵ、４４は光源及びＣＣＤ画素のバラツキを補正するための赤外シェーディング用ＳＲＡＭ、４５は制御用ＡＳＩＣ３５の内部の可視画像データを切り替えるためのスイッチ、４６は制御用ＡＳＩＣ３５の内部の赤外画像データを切り替えるためのスイッチである。
【００２４】
上記構成において、
ＣＣＤボード７から可視画像データはコネクタ３０を通して制御用ＡＳＩＣ３５に入力される。制御用ＡＳＩＣ３５は始めに可視画像データに対してシェーディングを行う。シェーディングは可視シェーディング用ＳＲＡＭ３２にフィルムの無い状態であらかじめ記憶された所定の値を画素に対して演算することによって行われる。つぎに色合わせはＣＣＤのラインセンサー位置の違いによる色ずれを補正するもので、可視画像データを色合わせ用ＳＲＡＭに一時的に保管して、色順を変換するものである。ガンマ変換はフィルムの濃度から演算したテーブルをガンマテーブル用ＳＲＡＭにあらかじめロードして、テーブルに基づいて色の変換をすることによってネガフィルムの色を再現するように構成している。
【００２５】
可視画像データは制御用ＡＳＩＣ３５を中で、ゴミキズ除去基板に送られるかＵＳＢコントローラ３８に送られかをスイッチ４５によって決定される。
【００２６】
ＣＣＤボード７から赤外画像データはコネクタ３１を通して制御用ＡＳＩＣ３５に入力される。制御用ＡＳＩＣ３５は始めに赤外画像データに対してシェーディングを行う。シェーディングは赤外シェーディング用ＳＲＡＭ３２にフィルムの無い状態であらかじめ記憶された所定の値を画素に対して演算することによって行われる。
【００２７】
赤外画像データは制御用ＡＳＩＣ３５を通過した後、ゴミキズ除去基板に送られるかＵＳＢコントローラ３８に送られかをスイッチ４６によって決定される。
【００２８】
ＣＰＵ４２はＲＯＭ４０とワーク用ＳＲＡＭによってプログラム実行しＡＳＩＣ３５およびＵＳＢコントローラ３８の制御を行う。ＣＰＵ４２はゴミキズ除去ボード３の接続情報に基づいてスイッチ４５及びスイッチ４６の制御を行い、ゴミキズ除去ボード３が接続されている場合、ゴミキズ除去制御ユニット３６へ可視画像データと赤外画像データをおくる。ゴミキズ除去制御ユニット３６においては赤外画像データにもとづいて、可視画像データに補間処理を行い修正された可視画像データを出力する。出力された可視画像データはＳＤＲＡＭ３７に保管される。ＳＤＲＡＭ３７に保管されたデータは図示しないＣＰＵ４２のＤＭＡによってＵＳＢコントローラ３８へ送られ、ＵＳＢコネクタ３９を介してホストコンピュータに送信される。
【００２９】
ゴミキズ除去ボード３が接続されていない場合、スイッチ４５およびスイッチ４６はインターフェース側に制御され、可視画像データと赤外画像データはＳＤＲＡＭ３７に保管される。ＳＤＲＡＭ３７に保管されたデータは図示しないＣＰＵ４２のＤＭＡによってＵＳＢコントローラ３８へ送られ、ＵＳＢコネクタ３９を介してホストコンピュータに送信される。
【００３０】
図４はＣＰＵ４２の内部の処理を示すフローチャートである。
【００３１】
同図において、
Ｓ１０１において初期化処理であるところの制御用ＡＳＩＣ３５およびＵＳＢコントローラ３８等、デバイスのイニシャル処理を行う。Ｓ１０２においてフィルムの挿入を待ち、フィルムが挿入されるとＳ１０３に進み画像読み取り位置までモーター１３及び搬送ローラー２４でフィルムを搬送する。Ｓ１０４ではフィルムを読み取るためのハロゲンランプ４の点灯を行う。Ｓ１０５において、可視画像をＣＣＤから読み込み、Ｓ１０６では制御用ＡＳＩＣ３５においてシェーディング、色合わせ等の画像処理をおこなう。
【００３２】
次に赤外線による画像を取得するため、Ｓ１０４では赤外画像を読み取るための赤外ＬＥＤ１２を点灯しハロゲンランプ４の消灯を行う。Ｓ１０８において赤外画像を取得し、Ｓ１０９において、制御用ＡＳＩＣ３５でシェーディング、倍率変換等の画像処理を行う。
【００３３】
Ｓ１１０において、ゴミキズ除去ボードがあるかどうか判定して、無い場合Ｓ１１１において制御用ＡＳＩＣ３５の内部のスイッチ４６をインターフェース側へ切り替え、Ｓ１１４で画像データをホストコンピュータ１５へ出力する。またＳ１１０において、ゴミキズ除去ボードがある場合、Ｓ１１２でスイッチ４６をゴミキズ除去ボード側に切り替え、Ｓ１１３でゴミキズ除去ボード３６においてゴミキズの除去を行った後、Ｓ１１４で画像データをホストコンピュータ１５へ出力する。
【００３４】
図５はゴミキズ除去ボード３６の内部のブロック図である。
【００３５】
同図において、１００は赤外画像を処理するところの前処理ＩＣ、１０１は処理ＩＣのタイミングのコントロールを行うところのＡＳＩＣ、１０２はゴミキズの画像処理をするところのゴミキズ処理ＩＣ、１０３はエッジを強調する機能と画像圧縮する機能を持つ後処理ＩＣである。
【００３６】
前処理ＩＣ１００ではメインボード２の制御用ＩＣ３５から送られる可視画像と赤外画像について処理を行う。赤外画像に対しては可視画像との倍率の違いから倍率変換が必要になるため、赤外画像の倍率を変換した画像を作成する。可視画像に対して赤外画像のずれを補正するため、可視画像と赤外画像の位置を重ね、前記赤外画像の倍率を変換した画像を位置合わせした画像に置き換える。ゴミキズ除去ＩＣ１０２は処理スピードの向上の為、画像を分割して処理するように４つのＩＣで構成されている。
【００３７】
図６はフィルムと画像分割について示したもので、フィルムの一コマの画面は４分割される。分割された画像の切れ目の部分はオーバーラップ部分を持ち、ゴミキズ除去ＩＣ１０２の各々に重複した重複部分をもって処理するように構成される。
【００３８】
後処理ＩＣ１０３においては分割画像の合成処理と画像のエッジ強調の処理と画像の圧縮手段であるところＪＰＥＧ圧縮処理の機能を持っている。後処理ＩＣ１０３からの処理画像は再びメインボード２にもどり、図示しないＣＰＵ４２のＤＭＡによってＵＳＢコントローラ３８へ送られ、ＵＳＢコネクタ３９を介してホストコンピュータに送信される。ＡＳＩＣ１０１はこれら、画像分割、合成等のタイミングのコントロールを行うものである。
【００３９】
図７はゴミキズ除去ボード３６の制御の処理を示すフローチャートである。
【００４０】
Ｓ２０１において前処理ＩＣに対して倍率変換のコマンドを発行する。Ｓ２０２において前処理ＩＣに対して位置合わせのコマンドを発行する。Ｓ２０３においてゴミキズ除去ＩＣ１０２の各々にゴミキズ除去のコマンド発行する。Ｓ２０４においてエッジ強調またはＪＰＥＧをかけないことを判断すると画像のデータとして８ＢＩＴのＲＧＢデータとして出力する。Ｓ２０４においてエッジ強調及びＪＰＥＧをかける場合、Ｓ２０５においてそのの必要処理であるＲＧＢデータからＹＵＶデータへの変換処理を行う。
【００４１】
Ｓ２０６でエッジ強調を行う場合、Ｓ２０７に進み、エッジ強調処理を行う。Ｓ２０８では画像圧縮のＪＰＥＧ処理を行うかどうか判断して、ＪＰＥＧをかけない場合、Ｓ２０９に進み画像データをＹＵＶから再びＲＧＢに変換して出力する。ＪＰＥＧをかける場合Ｓ２１０において、後処理ＩＣ１０３に対してＪＰＥＧ圧縮処理のコマンドを発行して、画像データはＪＰＥＧとして出力される。
【００４２】
【発明の効果】
以上説明したように、可視ランプ手段と赤外ランプ手段と可視画像取得手段と赤外画像取得手段と画像処理手段とゴミキズ除去画像処理手段とコンピュータインターフェース手段によって構成される。
【００４３】
ゴミキズ除去画像処理手段と画像処理手段を分離する手段とゴミキズ除去画像処理手段が接続されていることを検出する検出手段を設ける。
【００４４】
検出手段によって検出されたゴミキズ除去画像処理手段へ赤外画像取得手段からの赤外画像を送ること可能とする。
【００４５】
また検出手段によってゴミキズ除去画像処理手段が検出できない場合は赤外画像取得手段からの赤外画像をコンピュータインターフェース手段へ送る、従来のゴミキズ除去手段と画像圧縮手段とエッジ強調手段検出の機能を持つ。
【００４６】
ゴミキズ除去画像処理手段で処理された画像に画像圧縮手段によって、画像を圧縮する機能と圧縮しないスイッチ手段によって構成される。
【００４７】
ゴミキズ除去画像処理手段で処理された画像にエッジ強調手段によって、エッジを強調する機能とエッジを強調しないスイッチ手段を持つことによって、高速なゴミキズ除去機能を持つフィルムスキャナーを提供するものである。
【図面の簡単な説明】
【図１】本発明のシステムのブロック図
【図２】ゴミキズ除去ボードの検出回路
【図３】画像処理のブロック図
【図４】フローチャート
【図５】ゴミキズ除去ボードのブロック図
【図６】フィルムの画像処理の図
【図７】フローチャート
【符号の説明】
１はフィルムスキャナー、２はメインボード、３はゴミキズ除去ボード、４はハロゲンランプ、５はフィルム、６はレンズ、７はＣＣＤボード、８はメインボード側のコネクタ、９はゴミキズ除去ボード側のコネクタ、１０は電源ユニット、１１はＡＣケーブル、１２は赤外ＬＥＤ、１３はモーター、１４は搬送ローラー、１５はホストコンピュータ、１６はＵＳＢケーブル、２０はプルアップ抵抗、２１はＧＮＤ線、２２は短絡配線、３０はコネクタ、３１はコネクタ、３２は可視シェーディング用ＳＲＡＭ、３３は色合わせ用ＳＲＡＭ、３４はガンマテーブル用ＳＲＡＭ、３５は制御用ＡＳＩＣ、３６はゴミキズ除去制御ユニット、３７はＳＤＲＡＭ、３８はＵＳＢコントローラ、３９はコネクタ、４０はワーク用ＳＲＡＭ、４１はＲＯＭ、４２はＣＰＵ、４４は赤外シェーディング用ＳＲＡＭ、４５はスイッチ、４６はスイッチ、１００は前処理ＩＣ、１０１はＡＳＩＣ、１０２はゴミキズ処理ＩＣ、１０３は後処理ＩＣ
【図１】
2004173164.tif 000003
【図２】
2004173164.tif 000004
【図３】
2004173164.tif 000005
【図４】
2004173164.tif 000006
【図５】
2004173164.tif 000007
【図６】
2004173164.tif 000008
【図７】
2004173164.tif 000009